Podtech/llm-jp-corpus-v4-ja_patent huggingface dataset:
【手続補正書】
【提出日】平成22年5月14日(2010.5.14)
【手続補正１】
【補正対象書類名】特許請求の範囲
【補正対象項目名】全文
【補正方法】変更
【補正の内容】
【特許請求の範囲】
【請求項１】
基板上にほぼ垂直に実装された少なくとも一つのＬＥＤから成るＬＥＤ光源と、このＬＥＤ光源からの光を光照射方向前方に向かって反射するように、第一の焦点位置が光源の発光部付近に位置し、且つ第二の焦点位置が光照射方向前側に位置するように配置された光照射方向前方に向かって凹状の楕円系反射面と、上記反射面の前方にて、ほぼ水平な光軸上にて、その光源側の焦点位置が上記反射面の第二の焦点位置付近に位置するように配置された凸状の投影レンズと、を含んでいる、車両前照灯において、上記反射面の第一の焦点位置が第二の焦点位置より後方下側に位置するように、その長軸が後方に向かって下方に傾斜して配置されており、上記ＬＥＤ光源の発光中心から基板に垂直に延びる垂線が、上記投影レンズの光軸の延長線と、上記反射面上で交差することを特徴とする車両前照灯。
【請求項２】
上記反射面の第一の焦点及び第二の焦点の間の距離が、上記投影レンズの焦点距離より短く選定されていることを特徴とする、請求項１に記載の車両前照灯。
【請求項３】
さらに、上記ＬＥＤ光源から離れた位置に配置された放熱部材を備えており、  この放熱部材が、上記ＬＥＤ光源の基板と熱伝導部材を介して熱的に接続されていることを特徴とする、請求項１から２の何れかに記載の車両前照灯。
【請求項４】
さらに、上記反射面の第二の焦点位置付近に配置され、上縁がカットオフラインを画成するように形成された遮光部材を備えていることを特徴とする、請求項１から３の何れかに記載の車両前照灯。
【請求項５】
上記遮光部材が、上記ＬＥＤ光源からの直接光を光照射方向前方の上側に向かって透過させるオーバーヘッドサイン用配光のための窓部を有していることを特徴とする、請求項１から４の何れかに記載の車両前照灯。
【手続補正２】
【補正対象書類名】明細書
【補正対象項目名】００１９
【補正方法】削除
【補正の内容】
【手続補正３】
【補正対象書類名】明細書
【補正対象項目名】００１７
【補正方法】変更
【補正の内容】
【００１７】
上記目的は、本発明によれば、基板上にほぼ垂直に実装された少なくとも一つのＬＥＤから成るＬＥＤ光源と、このＬＥＤ光源からの光を光照射方向前方に向かって反射するように、第一の焦点位置が光源の発光部付近に位置し、且つ第二の焦点位置が光照射方向前側に位置するように配置された光照射方向前方に向かって凹状の楕円系反射面と、上記反射面の前方にて、ほぼ水平な光軸上にて、その光源側の焦点位置が上記反射面の第二の焦点位置付近に位置するように配置された凸状の投影レンズと、を含んでいる、車両前照灯において、上記反射面の第一の焦点位置が第二の焦点位置より後方下側に位置するように、その長軸が後方に向かって下方に傾斜して配置されており、上記ＬＥＤ光源の発光中心から基板に垂直に延びる垂線が、上記投影レンズの光軸の延長線と、上記反射面上で交差することを特徴とする、車両前照灯により、達成される。
【手続補正書】
【提出日】平成22年2月3日(2010.2.3)
【手続補正１】
【補正対象書類名】特許請求の範囲
【補正対象項目名】全文
【補正方法】変更
【補正の内容】
【特許請求の範囲】
【請求項１】
半導体基板上に形成された埋め込み絶縁膜により素子分離された電界効果トランジスタにおいて、
前記トランジスタのソース領域、ドレイン領域及びチャネル領域の下に、前記ソース領域及びドレイン領域と同一導電型の不純物領域が設けられ、
前記不純物領域は、前記埋め込み絶縁膜の底より浅い位置に形成されていることを特徴とする電界効果トランジスタ。
【請求項２】
前記不純物領域の外周が、前記埋め込み絶縁膜の側面に接して設けられることを特徴する請求項１に記載の電界効果トランジスタ。
【請求項３】
前記不純物領域が、前記埋め込み絶縁膜により素子分離された領域全面に設けられることを特徴とする請求項１又は２に記載の電界効果トランジスタ。
【請求項４】
前記ソース領域、前記ドレイン領域及び前記不純物領域は、ｐ型導電型であり、ｎウエル又はｎ型半導体基板内に設けられたことを特徴とする請求項１〜３のいずれか１項に記載の電界効果トランジスタ。
【請求項５】
前記不純物領域がｐ型のとき、前記不純物領域は低電源電位に接続され、
前記不純物領域がｎ型のとき、前記不純物領域は高電源電位に接続されていることを特徴とする請求項１〜４のいずれか１項に記載の電界効果トランジスタ。
【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
円形部の外周に凸部を放射状に備えることを特徴とするランド形状。
【請求項２】
前記円形部の接線方向に沿って前記凸部がカットされていることを特徴とする請求項１に記載のランド形状。
【請求項３】
前記円形部にかからない任意の線に沿って前記凸部がカットされていることを特徴とする請求項１に記載のランド形状。
【請求項４】
前記円形部は搭載部品の円形座とほぼ同径であることを特徴とする請求項１から３のいずれか一項に記載のランド形状。
【請求項５】
前記搭載部品はバネ式ピン接点部品であることを特徴とする請求項４に記載のランド形状。
【請求項６】
前記バネ式ピン接点部品はスプリングピンであることを特徴とする請求項５に記載のランド形状。
【請求項７】
請求項１〜６のいずれか一項に記載のランド形状を備えることを特徴とする基板。
【手続補正２】
【補正対象書類名】明細書
【補正対象項目名】発明の名称
【補正方法】変更
【補正の内容】
【発明の名称】ランド形状及びそれを備える基板
【手続補正３】
【補正対象書類名】明細書
【補正対象項目名】０００１
【補正方法】変更
【補正の内容】
【０００１】
本発明は、基板上に形成され、円形部品等を半田付けにより実装するランドの形状及びそれを備える基板に関する。 
【手続補正４】
【補正対象書類名】明細書
【補正対象項目名】００１５
【補正方法】変更
【補正の内容】
【００１５】
請求項６に記載の発明は、請求項５に記載のランド形状であって、前記バネ式ピン接点部品はスプリングピンであることを特徴とする。
請求項７に記載の発明は、基板であって、請求項１〜６のいずれか一項に記載のランド形状を備えることを特徴とする。
【手続補正書】
【提出日】平成22年4月22日(2010.4.22)
【手続補正１】
【補正対象書類名】特許請求の範囲
【補正対象項目名】全文
【補正方法】変更
【補正の内容】
【特許請求の範囲】
【請求項１】
基板上に接合層と、
前記接合層上に絶縁膜と、
前記絶縁膜上の一部に希ガス元素を含む非単結晶半導体膜と、
前記絶縁膜と前記非単結晶半導体膜上に単結晶半導体層と、
前記単結晶半導体層中にチャネル形成領域と、低濃度不純物領域と、シリサイド領域と、
前記単結晶半導体層上にゲート絶縁膜と、
前記ゲート絶縁膜上にゲート電極と、
前記ゲート電極の側面にサイドウォールと、
を有し、
前記非単結晶半導体膜は、前記シリサイド領域上に設けられ、
前記非単結晶半導体膜により、前記シリサイド領域中の金属元素が前記チャネル形成領域に拡散することが抑制されることを特徴とする半導体装置。
【請求項２】
請求項１において、
前記単結晶半導体層は、単結晶シリコン層であることを特徴とする半導体装置。
【請求項３】
請求項１または請求項２において、
前記非単結晶半導体膜は、非晶質半導体膜、微結晶半導体膜または多結晶半導体膜のいずれかであり、
前記非単結晶半導体膜は、シリコンまたはゲルマニウムを含むことを特徴とする半導体装置。
【請求項４】
請求項１乃至請求項３のいずれか１項において、
前記金属元素は、ニッケル、タングステン、チタンまたはコバルトのいずれか１つであることを特徴とする半導体装置。
【請求項５】
請求項１乃至請求項４のいずれか１項において、
前記接合層は、酸化シリコンにより形成されることを特徴とする半導体装置。
【請求項６】
請求項１乃至請求項５のいずれか１項において、
前記希ガス元素は、アルゴン、クリプトンまたはキセノンのいずれか１つであることを特徴とする半導体装置。
【請求項７】
半導体基板上の一部に非単結晶半導体膜を形成し、
前記前記非単結晶半導体と前記半導体基板上に絶縁膜を形成し、
水素を含むイオンを前記絶縁膜に注入して、前記半導体基板中に多孔質構造を有する分離層を形成し、
前記絶縁膜上に接合層を形成し、
前記半導体基板と絶縁表面を有する基板とを前記接合層を挟んで重ね合わせ、
前記絶縁表面を有する基板上に単結晶半導体層を残存させつつ、前記半導体基板を前記分離層で分離する熱処理を行い、
前記単結晶半導体層及び前記非単結晶半導体膜をエッチングして、前記単結晶半導体層を島状単結晶半導体層に形成し、かつ、前記非単結晶半導体膜の一部の領域を前記島状単結晶半導体層のソース領域及びドレイン領域となる領域に重なるように形成することを特徴とする半導体装置の作製方法。
【手続補正書】
【提出日】平成22年6月15日(2010.6.15)
【手続補正１】
【補正対象書類名】特許請求の範囲
【補正対象項目名】全文
【補正方法】変更
【補正の内容】
【特許請求の範囲】
【請求項１】
蛍光灯を使用する照明器具において、
前記照明器具は、
主要な明るさを提供する主光源としての蛍光灯を挟むソケットと、
４９８〜５３０ｎｍ波長の緑色光を放出するＬＥＤ、６２０〜７００ｎｍ波長の赤色光を放出するＬＥＤ、４９５ｎｍ付近波長の青緑色光を放出するＬＥＤが設けられる基板と、
前記蛍光灯を駆動するための蛍光灯駆動器と、
前記ＬＥＤなどに電力を供給するための電源と、
を含み、前記ＬＥＤが連色性とシャープネスを改善することを特徴とする視力保護用照明器具。
【請求項２】
前記基板には、３８０〜４００ｎｍ波長の紫色光を放出するＬＥＤがさらに設けられることを特徴とする請求項１記載の視力保護用照明器具。
【請求項３】
前記ソケットが前記基板に設けられていることを特徴とする請求項１記載の視力保護用照明器具。
【請求項４】
前記照明器具が卓上用スタンドであることを特徴とする請求項１記載の視力保護用照明器具。
【請求項５】
前記蛍光灯の少なくとも１つがＵ字形の蛍光灯であることを特徴とする請求項１記載の視力保護用照明器具。
【請求項６】
前記蛍光灯の少なくとも１つが管型蛍光灯であることを特徴とする請求項１記載の視力保護用照明器具。
【請求項７】
前記照明器具には眩しさ防止フィルターがさらに設けられることを特徴とする請求項１記載の視力保護用照明器具。
【請求項８】
前記蛍光灯駆動器はインバーター式安定器であることを特徴とする請求項１記載の視力保護用照明器具。
【手続補正書】
【提出日】平成22年2月24日(2010.2.24)
【手続補正１】
【補正対象書類名】特許請求の範囲
【補正対象項目名】全文
【補正方法】変更
【補正の内容】
【特許請求の範囲】
【請求項１】
半導体基板上に形成される第１の層間絶縁膜と、
一端及び他端を有し、前記第１の層間絶縁膜を貫通して選択的に設けられるプラグと、
前記プラグの前記一端上に形成される界面膜と、
前記界面膜上に形成されるカルコゲナイド膜と、
前記カルコゲナイド膜上に形成された上部電極とを備え、前記界面膜、前記カルコゲナイド膜及び前記上部電極によりメモリ素子が構成され、
前記界面膜は、前記カルコゲナイド膜の平面形状全体を含み、かつ前記カルコゲナイド膜の平面形状より広い平面形状で形成されることを特徴とする、
半導体装置。
【請求項２】
半導体基板上に形成される第１の層間絶縁膜と、
一端及び他端を有し、前記第１の層間絶縁膜を貫通して選択的に設けられる第１のプラグと、
前記第１のプラグの前記一端上に形成される界面膜と、
前記界面膜上に形成されるカルコゲナイド膜と、
前記カルコゲナイド膜上に形成された上部電極とを備え、前記界面膜、前記カルコゲナイド膜及び前記上部電極によりメモリ素子が構成され、
前記メモリ素子の側面に形成されるサイドウォールと、
前記メモリ素子及びサイドウォールを含む第１の層間絶縁膜上に形成される第２の層間絶縁膜と、
前記第２の層間絶縁膜を貫通して選択的に設けられ、前記上部電極と電気的に接続される第２のプラグとをさらに備える、
半導体装置。
【請求項３】
請求項２記載の半導体装置であって、
前記第２の層間絶縁膜はシリコン酸化膜より形成され、前記サイドウォールはシリコン窒化膜により形成される、
半導体装置。
【請求項４】
(a) 半導体基板の上層に第１の層間絶縁膜を形成するステップと、
(b) 前記第１の層間絶縁膜を貫通して、一端及び他端を有するプラグを選択的に形成するステップと、
(c) 前記第１の層間絶縁膜上に、界面膜、カルコゲナイド膜及び上部電極からなる積層構造を形成するステップと、
(d) 前記積層膜に異方性エッチング処理を行うことにより、前記界面膜が、前記カルコゲナイド膜に対し平面視で突出し、かつ、前記プラグの一端に電気的に接続されるように、パターニングしてメモリ素子を形成するステップとを備える、
半導体装置の製造方法。
【請求項５】
請求項４記載の半導体装置の製造方法であって、
(e) 前記ステップ(d) 直後に実行され、前記第１の層間絶縁膜の表面、前記メモリ素子の表面及び側面を水洗により洗浄処理を実行し、前記異方性エッチング処理により生じた残留物を除去するステップをさらに備え、
前記ステップ(e) における前記洗浄処理は、前記第１の層間絶縁膜上の前記残留物の濃度が前記ステップ(d) 実行前と同程度になるように実行される、
半導体装置の製造方法。
【請求項６】
請求項４あるいは請求項５記載の半導体装置の製造方法であって、
前記ステップ(d) における前記異方性エッチング処理は塩素及びフッ素のうち少なくとも一方をエッチングガスとしたエッチング処理を含み、前記残留物は前記エッチングガスの残留物を含み、
前記ステップ(e) における前記洗浄処理は、前記第１の層間絶縁膜上の前記残留物の濃度が１０×11〜１０×9 atom/ｃｍ2程度の濃度になるように実行される、
半導体装置の製造方法。
【請求項７】
(a) 半導体基板の上層に第１の層間絶縁膜を形成するステップと、
(b) 前記第１の層間絶縁膜を貫通して、一端及び他端を有する第１のプラグを選択的に形成するステップと、
(c) 前記第１の層間絶縁膜上に、界面膜、カルコゲナイド膜及び上部電極からなる積層構造を形成した後、異方性エッチング処理を行いパターニングしてメモリ素子を形成するステップと、
(d) 前記メモリ素子の側面にサイドウォールを形成するステップと、
(e) 前記メモリ素子及びサイドウォールを含む第１の層間絶縁膜上に第２の層間絶縁膜を形成するステップと、
(f) 前記第２の層間絶縁膜を貫通して選択的に設けられ、前記上部電極と電気的に接続される第２のプラグを形成するステップとを備える、
半導体装置の製造方法。
【請求項８】
請求項７記載の半導体装置の製造方法であって、
前記ステップ(f) の前記第２の層間絶縁膜を貫通する処理は、前記サイドウォールとの選択比が１０〜１０4程度のエッチング処理を含む、
半導体装置の製造方法。
【請求項９】
請求項８記載の半導体装置の製造方法であって、
前記サイドウォールはシリコン窒化膜により形成され、前記第２の層間絶縁膜はシリコン酸化膜により形成される、
半導体装置の製造方法。
【手続補正２】
【補正対象書類名】明細書
【補正対象項目名】発明の名称
【補正方法】変更
【補正の内容】
【発明の名称】半導体装置及びその製造方法
【手続補正３】
【補正対象書類名】明細書
【補正対象項目名】０００１
【補正方法】変更
【補正の内容】
【０００１】
この発明は、半導体装置及びその製造方法に係り、特に、カルコゲナイドなどの相変化材料を用いて形成される相変化メモリセル（素子）を有する半導体集積回路装置に適用して有効な技術に関するものである。
【手続補正４】
【補正対象書類名】明細書
【補正対象項目名】００２０
【補正方法】変更
【補正の内容】
【００２０】
この発明は上記問題点を解決するためになされたもので、相変化膜及び界面膜を有する相変化メモリ等の性能劣化を最小限に抑えた構造の半導体装置及びその製造方法を得ることを目的とする。
【手続補正書】
【提出日】平成22年4月26日(2010.4.26)
【手続補正１】
【補正対象書類名】特許請求の範囲
【補正対象項目名】全文
【補正方法】変更
【補正の内容】
【特許請求の範囲】
【請求項１】
半導体基板上にＭＩＳトランジスタのゲート絶縁膜を形成し、前記ゲート絶縁膜上に前記ＭＩＳトランジスタのゲート電極を形成する工程を含む半導体装置の製造方法であって、
前記半導体基板上に前記ゲート絶縁膜を形成する工程は、
（ａ）前記半導体基板の主面上に、酸化シリコンより高い比誘電率の酸化物から構成される第１層を形成する工程と、
（ｂ）前記工程（ａ）の後、前記半導体基板の主面を非酸化性雰囲気中で熱処理する工程と、
（ｃ）前記第１層上に、前記工程（ｂ）直後の第１層中に占める酸素の割合より高い酸化物から構成される第２層を形成する工程と、
（ｄ）前記第２層上に、酸素が拡散するのを抑制する金属から構成されるキャップ層を形成する工程と、
（ｅ）前記工程（ｄ）の後、前記半導体基板の主面を熱処理する工程と、
を含むことを特徴とする半導体装置の製造方法。
【請求項２】
前記工程（ｃ）では、前記第２層を構成する酸化ハフニウム膜を、酸素原料として水を用いたＡＬＤ法によって、前記第１層上に形成することを特徴とする請求項１記載の半導体装置の製造方法。
【請求項３】
前記工程（ｃ）では、前記第２層を構成する酸化アルミニウム膜を、酸素原料として水を用いたＡＬＤ法によって、前記第１層上に形成することを特徴とする請求項１記載の半導体装置の製造方法。
【請求項４】
前記工程（ｃ）では、前記第２層を構成する酸化タンタル膜を、酸素原料として水を用いたＡＬＤ法によって、前記第１層上に形成することを特徴とする請求項１記載の半導体装置の製造方法。
【請求項５】
（ｆ）前記キャップ層をパターニングすることによって、前記キャップ層から構成される前記ゲート電極を形成する工程と、
を含むことを特徴とする請求項１記載の半導体装置の製造方法。
【請求項６】
前記工程（ｂ）では、前記第１層を緻密化することを特徴とする請求項１記載の半導体装置の製造方法。
【請求項７】
前記工程（ｅ）では、前記第２層から前記第１層へ酸素を供給することを特徴とする請求項１記載の半導体装置の製造方法。
【請求項８】
（ａ）半導体基板上に第１層を形成する工程と、
（ｂ）前記第１層上に第２層を形成する工程と、
（ｃ）前記第２層上にキャップ層を形成する工程と、
（ｄ）前記工程（ａ）〜（ｃ）後に、前記半導体基板の主面を熱処理する工程、
を有し、
前記第１及び第２層はＭＩＳトランジスタのゲート絶縁膜を構成しており、
前記キャップ層は前記ＭＩＳトランジスタのゲート電極を構成しており、
前記第１層はハフニウムと酸素を含んで構成されており、
前記第２層はアルミニウムと酸素、または、タンタルと酸素を含んで構成されており、
前記第２層の膜厚は、前記第１層の膜厚よりも薄いことを特徴とする半導体装置の製造方法。
【請求項９】
前記工程（ｄ）によって、前記第２層から前記第１層に酸素が供給されることを特徴とする請求項８に記載の半導体装置の製造方法。
【請求項１０】
前記工程（ａ）と前記工程（ｂ）との間に、（ｅ）前記半導体基板の主面を非酸化性雰囲気中で熱処理する工程、を更に有することを特徴とする請求項８または９の何れか１項に記載の半導体装置の製造方法。
【請求項１１】
前記工程（ｅ）によって、前記第１層が緻密化されることを特徴とする請求項１０に記載の半導体装置の製造方法。
【請求項１２】
前記工程（ｂ）で形成される前記第２層は、前記工程（ａ）直後の前記第１層中に占める酸素の割合より高い酸化物から構成されることを特徴とする請求項１０または１１の何れか１項に記載の半導体装置の製造方法。
【請求項１３】
前記工程（ｂ）で、前記第２層はＡＬＤ法によって形成されることを特徴とする請求項８〜１２の何れか１項に記載の半導体装置の製造方法。
【請求項１４】
前記工程（ａ）で、前記第１層はＡＬＤ法によって形成されることを特徴とする請求項８〜１３の何れか１項に記載の半導体装置の製造方法。
【請求項１５】
前記工程（ａ）前に、（ｆ）前記半導体基板上に酸化シリコン膜を形成する工程、を更に有し、
前記酸化シリコン膜の膜厚は、前記第１層の膜厚よりも薄いことを特徴とする請求項８〜１４の何れか１項に記載の半導体装置の製造方法。
【請求項１６】
前記第２層の膜厚は、前記酸化シリコン膜の膜厚よりも薄いことを特徴とする請求項１５に記載の半導体装置の製造方法。
【請求項１７】
前記キャップ層は、金属から構成されていることを特徴とする請求項８〜１６の何れか１項に記載の半導体装置の製造方法。
【請求項１８】
前記ＭＩＳトランジスタはｎチャネル型ＭＩＳトランジスタであり、
前記キャップ層は、窒化タンタル、アルミニウム、チタン、または、タンタルによって構成されていることを特徴とする請求項８〜１６の何れか１項に記載の半導体装置の製造方法。
【請求項１９】
前記ＭＩＳトランジスタはｐチャネル型ＭＩＳトランジスタであり、
前記キャップ層は、ルテニウム、プラチナ、または、ニッケルによって構成されていることを特徴とする請求項８〜１６の何れか１項に記載の半導体装置の製造方法。
【手続補正書】
【提出日】平成22年5月14日(2010.5.14)
【手続補正１】
【補正対象書類名】特許請求の範囲
【補正対象項目名】全文
【補正方法】変更
【補正の内容】
【特許請求の範囲】
【請求項１】
被写体を撮影する撮影部と、
上記撮影部で撮影された撮影画像の撮影位置の情報を取得する撮影画像撮影位置取得部と、
予め複数の手本画像を記憶しておく手本画像記憶部と、
上記手本画像記憶部に記憶されている手本画像の中から、上記撮影部で撮影された撮影画像に関連し、上記撮影画像撮影位置取得部で取得した上記撮影画像の撮影位置から所定範囲内の撮影位置情報を有する所定の手本画像を選択する手本画像選択部と、
上記手本画像選択部で選択された上記手本画像の撮影位置を取得する手本画像撮影位置取得部と、
上記手本画像選択部で選択された手本画像及び上記手本画像撮影位置取得部で取得された撮影位置を表示する表示部と、
を具備することを特徴とする撮影システム。
【請求項２】
上記撮影システムは、
上記撮影部と上記表示部とを含む撮影装置と、
上記手本画像記憶部と上記手本画像選択部と上記手本画像位置取得部とを含むサーバ装置と、
を含み、
上記撮影装置と上記サーバ装置とは相互に通信可能であることを特徴とする請求項１に記載の撮影システム。
【請求項３】
上記手本画像選択部は、
上記手本画像記憶部に記憶されている手本画像の中から上記撮影画像と類似する手本画像を検索する手本画像検索部と、
上記手本画像検索部で検索された手本画像に付与された画像キーワードを抽出する画像キーワード抽出部と、
上記画像キーワード抽出部で抽出された画像キーワードをリスト化する画像キーワードリスト生成部と、
上記画像キーワードリスト生成部で生成された画像キーワードリストの中から任意の画像キーワードを選択する画像キーワード選択部と、
を含み、
上記所定の手本画像を選択するときには、上記画像キーワード選択部で選択された画像キーワードが付与されている手本画像を選択することを特徴とする請求項２に記載の撮影システム。
【請求項４】
上記手本画像検索部は、上記撮影画像と類似する手本画像を検索するときに、上記撮影画像撮影位置取得部で取得した上記撮影画像の撮影位置から所定範囲内の撮影位置情報を有する手本画像を対象に検索を行うことを特徴とする請求項３に記載の撮影システム。
【請求項５】
上記表示部は、上記画像キーワードリストを表示することが可能であり、
上記画像キーワード選択部は、上記撮影装置に設けられた操作部の操作入力に基づいて画像キーワードを選択することを特徴とする請求項３に記載の撮影システム。
【請求項６】
被写体を撮影する撮影部と、
上記撮影部で撮影された撮影画像の撮影位置の情報を取得する撮影画像撮影位置取得部と、
上記撮影部で撮影された撮影画像を、上記撮影画像撮影位置取得部で取得した上記撮影画像の撮影位置と共に所定のサーバに送信する送信部と、
上記撮影画像の送信に応答して上記サーバより送信される、上記撮影画像に関連し且つ上記撮影画像の撮影位置から所定範囲内の撮影位置情報を有する手本画像及び上記手本画像の撮影位置を表す撮影位置情報を受信する受信部と、
上記受信部で受信した上記手本画像及び上記撮影位置情報を表示する表示部と、
を具備することを特徴とする撮影装置。
【請求項７】
上記表示部は、上記撮影位置情報を表示する際、上記撮影位置を含む周辺地図を表示し、その周辺地図上に上記撮影位置を示す表示を行うことを特徴とする請求項６に記載の撮影装置。
【請求項８】
上記表示部は、上記撮影位置情報を表示する際、上記撮影位置を含む周辺地図上に、上記被写体の位置を示す表示を行うことを特徴とする請求項７に記載の撮影装置。
【手続補正２】
【補正対象書類名】明細書
【補正対象項目名】００１１
【補正方法】変更
【補正の内容】
【００１１】
本発明の撮影システムの一態様は、
被写体を撮影する撮影部と、
上記撮影部で撮影された撮影画像の撮影位置の情報を取得する撮影画像撮影位置取得部と、
予め複数の手本画像を記憶しておく手本画像記憶部と、
上記手本画像記憶部に記憶されている手本画像の中から、上記撮影部で撮影された撮影画像に関連し、上記撮影画像撮影位置取得部で取得した上記撮影画像の撮影位置から所定範囲内の撮影位置情報を有する所定の手本画像を選択する手本画像選択部と、
上記手本画像選択部で選択された上記手本画像の撮影位置を取得する手本画像撮影位置取得部と、
上記手本画像選択部で選択された手本画像及び上記手本画像撮影位置取得部で取得された撮影位置を表示する表示部と、
を具備することを特徴とする。
【手続補正３】
【補正対象書類名】明細書
【補正対象項目名】００１２
【補正方法】変更
【補正の内容】
【００１２】
また、本発明の撮影装置の一態様は、
被写体を撮影する撮影部と、
上記撮影部で撮影された撮影画像の撮影位置の情報を取得する撮影画像撮影位置取得部と、
上記撮影部で撮影された撮影画像を、上記撮影画像撮影位置取得部で取得した上記撮影画像の撮影位置と共に所定のサーバに送信する送信部と、
上記撮影画像の送信に応答して上記サーバより送信される、上記撮影画像に関連し且つ上記撮影画像の撮影位置から所定範囲内の撮影位置情報を有する手本画像及び上記手本画像の撮影位置を表す撮影位置情報を受信する受信部と、
上記受信部で受信した上記手本画像及び上記撮影位置情報を表示する表示部と、
を具備することを特徴とする。
【手続補正書】
【提出日】平成22年5月13日(2010.5.13)
【手続補正１】
【補正対象書類名】特許請求の範囲
【補正対象項目名】全文
【補正方法】変更
【補正の内容】
【特許請求の範囲】
【請求項１】
それぞれ通信回線に係る識別情報を記憶した複数の記憶媒体から、前記識別情報を読み出す読み出し手段と、
前記読み出し手段により読み出された識別情報に基づいて通信回線を決定し、前記決定した通信回線を使用して通信を行う通信手段と、
表示部と、
前記識別情報に応じた情報を前記表示部に表示する表示制御手段とを備え、
前記表示制御手段は、前記複数の識別情報に基づいて決定された複数の通信回線に応じた情報を表示するための複数の表示画面を生成し、前記表示部の表示領域を分割して前記複数の表示画面を表示する通信端末。
【手続補正書】
【提出日】平成22年3月18日(2010.3.18)
【手続補正１】
【補正対象書類名】特許請求の範囲
【補正対象項目名】全文
【補正方法】変更
【補正の内容】
【特許請求の範囲】
【請求項１】
通信方式が異なる複数の第１のアンテナと少なくとも一つの第２のアンテナを備えた電子機器であって、
画像を表示する表示パネルと、
該表示パネルが配置され表示パネルを表示面の反対側から覆うパネル用筐体と、
該パネル用筐体の外周に配置され左右方向へ延びる上面部と該上面部の左右両端部からそれぞれ直交する方向へ突出された一対の側面部とを有すると共に非金属性の材料によって形成された配置用枠と、
表示パネルの外周部及び配置用枠を表示パネルの表示面側から覆うと共に非金属性の材料によって形成された外枠とを備え、
配置用枠の上面部と一方の側面部に少なくとも一つずつの第１のアンテナを配置し、
配置用枠の上面部又は他方の側面部に少なくとも一つの第２のアンテナを配置した
ことを特徴とする電子機器。
【請求項２】
配置用枠に複数の係合部を設け、
外枠に配置用枠の複数の係合部がそれぞれ係合される複数の係合部を設け、
配置用枠の係合部と外枠の係合部との係合のみにより配置用枠と外枠を結合するようにした
ことを特徴とする請求項１に記載の電子機器。
【請求項３】
配置用枠に複数の結合用係合部を設け、
パネル用筐体に配置用枠の複数の結合用係合部がそれぞれ係合される複数の結合用係合部を設け、
配置用枠の結合用係合部とパネル用筐体の結合用係合部との係合のみにより配置用枠とパネル用筐体を結合するようにした
ことを特徴とする請求項１に記載の電子機器。
【請求項４】
第２のアンテナを配置用枠と外枠によって形成された空間に対して引出及び収納自在とした
ことを特徴とする請求項１に記載の電子機器。
【請求項５】
第２のアンテナを配置用枠の上面部に配置した
ことを特徴とする請求項１に記載の電子機器。
【請求項６】
第２のアンテナを配置用枠の上面部及び側面部にそれぞれ配置した
ことを特徴とする請求項１に記載の電子機器。
【請求項７】
配置用枠と外枠との結合に際して、金属製の取付ネジを使用しない
ことを特徴とする請求項１に記載の電子機器。
【請求項８】
第２のアンテナを配置枠の側面部に配置し、上面部方向に引出及び収納自在とした
ことを特徴とする請求項４に記載の電子機器。
【手続補正２】
【補正対象書類名】明細書
【補正対象項目名】００９５
【補正方法】変更
【補正の内容】
【００９５】
加えて、第２のアンテナ５９を引出及び収納自在として表示部４の内外で出し入れ可能としたので、第２のアンテナ５９を引き出すことにより該第２のアンテナ５９を上方に位置させることができ、受信感度の向上を図ることができる。また、第２のアンテナ５９を側面部に配置し、上方に引き出すことにより、装置本体部２から発するおそれのある不要なノイズを受信する可能性が小さくなり、なおかつ垂直偏波の通信の受信感度の向上を図ることができる。
【手続補正書】
【提出日】平成22年4月20日(2010.4.20)
【手続補正１】
【補正対象書類名】特許請求の範囲
【補正対象項目名】全文
【補正方法】変更
【補正の内容】
【特許請求の範囲】
【請求項１】
絶縁材料からなるベースフィルムと、
前記ベースフィルム上に形成されたフィルム状の導電体の第１及び第２のアンテナエレメントを備え、
前記第１及び第２のアンテナエレメントのそれぞれは、給電点から先端までの２つの端面が異なる２つの長さを有する平面形状、または、給電点から先端までの端面および対角線が異なる２つの長さを有する平面形状であり、
前記第１のアンテナエレメントは、給電点に同軸ケーブルの芯線が接続され、
前記第２のアンテナエレメントは、給電点に同軸ケーブルの外部導体が接続され、
前記第１及び第２のアンテナエレメントは、インピーダンスマッチングを行うコンデンサとしての面積を有するフィルムアンテナ。
【請求項２】
前記ベースフィルムの前記第１及び第２のアンテナエレメント面側並びに前記ベースフィルムの裏面側の少なくとも一つに貼り付けられる誘電体シートを備える請求項１記載のフィルムアンテナ。
【請求項３】
前記第１及び第２のアンテナエレメントの上に絶縁保護シートを備える請求項１記載のフィルムアンテナ。
【請求項４】
前記絶縁保護シートは、前記第１及び第２のアンテナエレメントと前記同軸ケーブルとのハンダ接続を介し前記給電点の位置に配置される穴部を有する請求項３記載のフィルムアンテナ。
【請求項５】
前記第１のアンテナエレメントの長手方向の長さは、前記第２のアンテナエレメントの長手方向の長さよりも、前記同軸ケーブルの芯線及び外部導体の間のむき出しになった絶縁体の軸方向長さ分短い請求項１記載のフィルムアンテナ。
【請求項６】
前記第１及び第２のアンテナエレメントは、それぞれ、当該第１及び第２のアンテナエレメントの長手方向と垂直な線上に配置され各給電点位置に対応するオーバーラップ部を備える請求項１記載のフィルムアンテナ。
【請求項７】
前記ベースフィルムは、ポリイミドからなる請求項１記載のフィルムアンテナ。
【請求項８】
前記第１及び第２のアンテナエレメントは、銅箔からなる請求項１記載のフィルムアンテナ。
【請求項９】
前記第１及び第２のアンテナエレメントは、それぞれ、三角形と、台形と、平行四辺形と、直線及び曲線を有する図形と、のうちのいずれか一つである請求項１記載のフィルムアンテナ。
【請求項１０】
請求項１記載のフィルムアンテナを有し、
当該フィルムアンテナを介して外部機器と無線通信を行う通信手段と、
前記フィルムアンテナを介する前記通信手段の通信を制御する制御手段と、
を備える電子機器。
【手続補正２】
【補正対象書類名】明細書
【補正対象項目名】０００８
【補正方法】変更
【補正の内容】
【０００８】
請求項１に記載の発明のフィルムアンテナは、
絶縁材料からなるベースフィルムと、
前記ベースフィルム上に形成されたフィルム状の導電体の第１及び第２のアンテナエレメントを備え、
前記第１及び第２のアンテナエレメントのそれぞれは、給電点から先端までの２つの端面が異なる２つの長さを有する平面形状、または、給電点から先端までの端面および対角線が異なる２つの長さを有する平面形状であり、
前記第１のアンテナエレメントは、給電点に同軸ケーブルの芯線が接続され、
前記第２のアンテナエレメントは、給電点に同軸ケーブルの外部導体が接続され、
前記第１及び第２のアンテナエレメントは、インピーダンスマッチングを行うコンデンサとしての面積を有する。
【手続補正３】
【補正対象書類名】明細書
【補正対象項目名】０００９
【補正方法】変更
【補正の内容】
【０００９】
請求項２記載の発明は、請求項１に記載の発明のフィルムアンテナにおいて、
前記ベースフィルムの前記第１及び第２のアンテナエレメント面側並びに前記ベースフィルムの裏面側の少なくとも一つに貼り付けられる誘電体シートを備える。
【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
視覚情報を取り込んで画像信号を出力する撮像手段と、
前記撮像手段から出力される画像信号を記録媒体に記録するために所定のデータファイルを生成するデータファイル生成手段と、
前記記録媒体に記録される画像信号から文字情報を抽出する文字認識手段と、
前記文字認識手段によって抽出されたファイル内における文字情報出現の特徴に応じて、ファイル名として選択する際に用いられる時間軸に関連したパラメータ値を設定するパラメータ値設定手段と、
前記パラメータ値設定手段によって設定されたパラメータ値から評価値を演算する評価値演算手段と、
前記演算された評価値の高い文字情報を、前記画像信号のファイル名として設定するファイル名設定手段とを有することを特徴とする動画撮像装置。
【請求項２】
前記パラメータ値は、文字情報の検出のタイミング、検出時間の長さ、検出頻度、文字の大きさ、文字列の画面内の位置、認識の精度の中から少なくとも１つ以上を用いて設定することを特徴とする請求項１に記載の動画撮像装置。
【請求項３】
前記パラメータ値から評価値を演算する定義は、ユーザーにより変更可能であることを特徴とする請求項１または２に記載の動画撮像装置。
【請求項４】
前記抽出した文字情報と、前記パラメータ値とを用いて前記画像信号の検索を行なう画像信号検索手段を有することを特徴とする請求項１〜３の何れか１項に記載の動画撮像装置。
【請求項５】
前記ファイル名設定手段は、前記ファイル名が付加されたデータファイルが複数のデータファイルに分割されると、分割された後のファイルに、前記パラメータ値から演算した評価値を用いて新たなファイル名を付加することを特徴とする請求項１に記載の動画撮像装置。
【請求項６】
視覚情報を取り込んで画像信号を出力する撮像工程と、
前記撮像工程において出力される画像信号を記録媒体に記録するために所定のデータファイルを生成するデータファイル生成工程と、
前記記録媒体に記録される画像信号から文字情報を抽出する文字認識工程と、
前記文字認識工程において抽出されたファイル内における文字情報出現の特徴に応じて、ファイル名として選択する際に用いられる時間軸に関連したパラメータ値を設定するパラメータ値設定工程と、
前記パラメータ値設定工程によって設定されたパラメータ値から評価値を演算する評価値演算工程と、
前記演算された評価値の高い文字情報を、前記画像信号のファイル名として設定するファイル名設定工程とを有することを特徴とする動画撮像方法。
【請求項７】
前記パラメータ値は、文字情報の検出のタイミング、検出時間の長さ、検出頻度、文字の大きさ、文字列の画面内の位置、認識の精度の中から少なくとも１つ以上を用いて設定することを特徴とする請求項６に記載の動画撮像方法。
【請求項８】
前記パラメータ値から評価値を演算する定義は、ユーザーにより変更可能であることを特徴とする請求項６または７に記載の動画撮像方法。
【請求項９】
前記抽出した文字情報と、前記パラメータ値とを用いて前記画像信号の検索を行なう画像信号検索工程を有することを特徴とする請求項６〜８の何れか１項に記載の動画撮像方法。
【請求項１０】
前記ファイル名設定工程は、前記ファイル名が付加されたデータファイルが複数のデータファイルに分割されると、分割された後のファイルに、前記パラメータ値から演算した評価値を用いて新たなファイル名を付加することを特徴とする請求項６に記載の動画撮像方法。
【手続補正２】
【補正対象書類名】明細書
【補正対象項目名】００１３
【補正方法】変更
【補正の内容】
【００１３】
本発明の動画撮像装置は、視覚情報を取り込んで画像信号を出力する撮像手段と、前記撮像手段から出力される画像信号を記録媒体に記録するために所定のデータファイルを生成するデータファイル生成手段と、前記記録媒体に記録される画像信号から文字情報を抽出する文字認識手段と、前記文字認識手段によって抽出されたファイル内における文字情報出現の特徴に応じて、ファイル名として選択する際に用いられる時間軸に関連したパラメータ値を設定するパラメータ値設定手段と、前記パラメータ値設定手段によって設定されたパラメータ値から評価値を演算する評価値演算手段と、前記演算された評価値の高い文字情報を、前記画像信号のファイル名として設定するファイル名設定手段とを有することを特徴とする。
【手続補正３】
【補正対象書類名】明細書
【補正対象項目名】００１４
【補正方法】変更
【補正の内容】
【００１４】
本発明の動画撮像方法は、視覚情報を取り込んで画像信号を出力する撮像工程と、前記撮像工程において出力される画像信号を記録媒体に記録するために所定のデータファイルを生成するデータファイル生成工程と、前記記録媒体に記録される画像信号から文字情報を抽出する文字認識工程と、前記文字認識工程において抽出されたファイル内における文字情報出現の特徴に応じて、ファイル名として選択する際に用いられる時間軸に関連したパラメータ値を設定するパラメータ値設定工程と、前記パラメータ値設定工程によって設定されたパラメータ値から評価値を演算する評価値演算工程と、前記演算された評価値の高い文字情報を、前記画像信号のファイル名として設定するファイル名設定工程とを有することを特徴とする。
【手続補正４】
【補正対象書類名】明細書
【補正対象項目名】００１５
【補正方法】削除
【補正の内容】
【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
視覚情報を取り込んで画像信号を出力する撮像手段と、
前記撮像手段から出力される画像信号を記録媒体に記録するために所定のデータファイルを生成するデータファイル生成手段と、
前記画像信号から文字情報を抽出する文字認識手段と、
前記文字認識手段によって抽出されたファイル内における文字情報出現の特徴に応じて時間軸に関連したパラメータ値を設定するパラメータ値設定手段と、
前記パラメータ値設定手段によって設定されたパラメータ値から評価値を演算する評価値演算手段と、
前記演算された評価値の高い文字情報が抽出された画像信号に基づいて、サムネイルを作成するサムネイル作成手段とを有することを特徴とする動画撮像装置。
【請求項２】
前記パラメータ値は、文字情報の検出のタイミング、検出時間の長さ、検出頻度、文字の大きさ、文字列の画面内の位置、認識の精度の中から少なくとも１つ以上を用いて設定することを特徴とする請求項１に記載の動画撮像装置。
【請求項３】
前記評価値演算手段が前記パラメータ値から評価値を演算する定義をユーザーが変更可能とするための操作手段を有することを特徴とする請求項１に記載の動画撮像装置。
【請求項４】
前記文字認識手段によって抽出された文字情報と、前記パラメータ値設定手段によって設定されたパラメータ値とを用いて前記画像信号の検索を行なう画像信号検索手段を有することを特徴とする請求項１〜３の何れか１項に記載の動画撮像装置。
【請求項５】
視覚情報を取り込んで画像信号を出力する撮像工程と、
前記撮像工程において出力される画像信号を記録媒体に記録するために所定のデータファイルを生成するデータファイル生成工程と、
前記画像信号から文字情報を抽出する文字認識工程と、
前記文字認識工程において抽出されたファイル内における文字情報出現の特徴に応じて時間軸に関連したパラメータ値を設定するパラメータ値設定工程と、
前記パラメータ値設定工程によって設定されたパラメータ値から評価値を演算する評価値演算工程と、
前記演算された評価値の高い文字情報が抽出された画像信号に基づいて、サムネイルを作成するサムネイル作成工程とを有することを特徴とする動画撮像方法。
【請求項６】
前記パラメータ値は、文字情報の検出のタイミング、検出時間の長さ、検出頻度、文字の大きさ、文字列の画面内の位置、認識の精度の中から少なくとも１つ以上を用いて設定することを特徴とする請求項５に記載の動画撮像方法。
【請求項７】
前記評価値演算工程において、前記パラメータ値から評価値を演算する定義をユーザーが変更可能とするための操作工程を有することを特徴とする請求項５に記載の動画撮像方法。
【請求項８】
前記文字認識工程において抽出された文字情報と、前記パラメータ値設定工程において設定されたパラメータ値とを用いて前記画像信号の検索を行なう画像信号検索工程を有することを特徴とする請求項５〜７の何れか１項に記載の動画撮像方法。
【手続補正２】
【補正対象書類名】明細書
【補正対象項目名】００１３
【補正方法】変更
【補正の内容】
【００１３】
本発明の動画撮像装置は、視覚情報を取り込んで画像信号を出力する撮像手段と、前記撮像手段から出力される画像信号を記録媒体に記録するために所定のデータファイルを生成するデータファイル生成手段と、前記画像信号から文字情報を抽出する文字認識手段と、前記文字認識手段によって抽出されたファイル内における文字情報出現の特徴に応じて時間軸に関連したパラメータ値を設定するパラメータ値設定手段と、前記パラメータ値設定手段によって設定されたパラメータ値から評価値を演算する評価値演算手段と、前記演算された評価値の高い文字情報が抽出された画像信号に基づいて、サムネイルを作成するサムネイル作成手段とを有することを特徴とする。
【手続補正３】
【補正対象書類名】明細書
【補正対象項目名】００１４
【補正方法】変更
【補正の内容】
【００１４】
本発明の動画撮像方法は、視覚情報を取り込んで画像信号を出力する撮像工程と、前記撮像工程において出力される画像信号を記録媒体に記録するために所定のデータファイルを生成するデータファイル生成工程と、前記画像信号から文字情報を抽出する文字認識工程と、前記文字認識工程において抽出されたファイル内における文字情報出現の特徴に応じて時間軸に関連したパラメータ値を設定するパラメータ値設定工程と、前記パラメータ値設定工程によって設定されたパラメータ値から評価値を演算する評価値演算工程と、前記演算された評価値の高い文字情報が抽出された画像信号に基づいて、サムネイルを作成するサムネイル作成工程とを有することを特徴とする。
【手続補正４】
【補正対象書類名】明細書
【補正対象項目名】００１５
【補正方法】削除
【補正の内容】
【手続補正書】
【提出日】平成22年4月23日(2010.4.23)
【手続補正１】
【補正対象書類名】特許請求の範囲
【補正対象項目名】全文
【補正方法】変更
【補正の内容】
【特許請求の範囲】
【請求項１】
外部通信機器との間で通信を行う無線通信手段と、前記無線通信手段により外部通信機器と情報交換する情報交換機能部と、前記情報交換機能部による情報交換に基づいて表示を行う表示部と、前記情報交換機能部による情報収集が終了したか否かによって前記表示部の表示を異ならしめる表示制御部とを有することを特徴とする情報交換装置。    
【請求項２】
前記表示制御部は、前記情報交換機能部による情報収集が終了するまでは前記表示部による情報表示の実行に条件をつけることを特徴とする請求項１記載の情報交換装置。    
【請求項３】
外部通信機器との間で通信を行う無線通信手段と、前記無線通信手段により外部通信機器と情報交換する情報交換機能部と、前記情報交換機能部による情報交換に基づいて表示を行う表示部と、前記表示部による表示を制御する表示制御部と、前記表示制御部により情報表示に制限をかけるか否か選択する選択操作部とを有することを特徴とする情報交換装置。    
【請求項４】
前記表示制御部は、前記選択操作部が情報表示の制限を選択したとき、前記表示部による情報表示に条件をつけることを特徴とする請求項３記載の情報交換装置。    
【請求項５】
外部通信機器との間で通信を行う無線通信手段と、前記無線通信手段により外部通信機器と情報交換する情報交換機能部と、前記情報交換機能部による情報交換に基づいて表示を行う表示部と、前記情報交換機能部による情報交換において情報提供を行うか情報交換結果のみを受取るかを選択する選択操作部と、前記選択操作部による選択に基づいて前記表示部の表示を異ならしめる表示制御部を有することを特徴とする情報交換装置。    
【請求項６】
前記表示制御部は、前記選択操作部が情報提供を行うことを選択したとき前記表示部による情報表示に条件をつけることを可能にすることを特徴とする請求項８または５記載の情報交換装置。    
【請求項７】
外部通信機器との間で通信を行う無線通信手段と、前記無線通信手段により外部通信機器と情報交換する情報交換機能部と、前記情報交換機能部による情報交換に基づいて表示を行う表示部と、前記情報交換機能部による情報交換実行と前記表示部による情報表示実行との関係を異ならしめる表示制御部を有することを特徴とする情報交換装置。    
【請求項８】
前記表示制御部は、前記情報交換機能部による情報交換が実行されても所定の条件が満たされないと前記表示部による情報表示換の実行を行わないことを特徴とする請求項７記載の情報交換装置。    
【請求項９】
複数の外部通信機器との間で通信を行う無線通信手段と、前記無線通信手段により外部通信機器と情報交換する情報交換機能部と、前記情報交換機能部による情報交換おいて複数の外部通信機器が不特定の場合と特定されている場合とで複数の外部通信機器との情報交換態様を異ならしめる無線通信制御部とを有することを特徴とする情報交換装置。    
【請求項１０】
前記無線通信制御部は、複数の外部通信機器が不特定のときは先着順で前記情報交換機能部による情報交換を行うとともに、複数の外部通信機器が特定されたときは所定の割当時間帯で前記情報交換機能部による情報交換を行うことを特徴とする請求項９記載の情報交換装置。    
【請求項１１】
送話と受話のための電話機能部と、前記電話機能部に基づいて外部通信機器との間で通信を行う前記無線通信手段とは別の無線電話通信手段を有することを特徴とする請求項１から１０のいずれかに記載の情報交換装置。
【手続補正書】
【提出日】平成22年5月14日(2010.5.14)
【手続補正１】
【補正対象書類名】特許請求の範囲
【補正対象項目名】全文
【補正方法】変更
【補正の内容】
【特許請求の範囲】
【請求項１】
放送波からトランスポートストリームを選局するチューナ部と、
前記チューナ部で選局されたトランスポートストリームから映像・音声情報を抽出するデマルチプレクス部と、
前記映像・音声情報を復号する映像・音声デコード部と、
前記チューナ部、前記デマルチプレクス部および前記映像・音声デコード部から得られる情報に基づき、選局中のトランスポートストリームの受信状態が受信不可か否かを検出する受信不可検出部と、
各系列局とそれら各系列局が放送するトランスポートストリームとの対応関係を格納した周波数リストデータベース部と、
前記受信不可検出部が受信不可を検出した場合に、前記周波数リストデータベース部に格納された前記対応関係を参照して、各系列局が放送するトランスポートストリームのうち、その受信不可になったトランスポートストリームと同じ系列局のトランスポートストリームを優先的に前記チューナ部に選局させる選局処理部と、
を備えることを特徴とするデジタル放送受信装置。
【請求項２】
前記周波数リストデータベース部は、前記対応関係をダウンロードして取得することで、前記対応関係の内容を更新することを特徴とする請求項１記載のデジタル放送受信装置。
【請求項３】
前記対応関係は、各送信所とその送信所から送信されるトランスポートストリームのトランスポートストリーム識別および物理チャンネルとの対応関係を含み、
前記選局処理部は、
前記受信不可検出部が受信不可を検出した場合に、前記周波数リストデータベース部の前記対応関係を参照し、その受信不可になったトランスポートストリームのトランスポートストリーム識別および物理チャンネルに基づき、その受信不可になったトランスポートストリームを送信していた送信所を特定する受信中送信所特定部と、
近隣送信所情報を格納した所定の近隣送信所データベース部を参照して、前記受信中送信所特定部により特定された送信所の近隣に在る近隣送信所を特定し、それらの中から、前記受信不可になったトランスポートストリームと同じ系列局のトランスポートストリームを送信する近隣送信所を抽出する近隣送信所抽出部と、
前記近隣送信所抽出部により抽出された近隣送信所から送信される前記トランスポートストリームを前記チューナ部に選局させる選局制御部と、
を備える特徴とする請求項１に記載のデジタル放送受信装置。
【請求項４】
前記近隣送信所情報は、送信所所在地郵便番号から各送信所間の距離をデータベース化したものであり、
前記近隣送信所抽出部は、前記近隣送信所情報を参照し、前記受信中送信所特定部により特定された送信所の送信所所在地郵便番号に基づき、その送信所の近隣に在る近隣送信所を特定することを特徴とする請求項１〜３の何れかに記載のデジタル放送受信装置。
【請求項５】
前記近隣送信所が抽出した各近隣送信所には選局優先順位が対応付けられており、
前記選局制御部は、前記近隣送信所抽出部が近隣送信所を複数抽出した場合は、それらの中で前記選局優先順位の最も高いものが送信する当該トランスポートストリームから順に前記チューナ部に選局させ、前記選局優先順位は受信できたトランスポートストリームを送信する近隣送信所の選局優先順位を、それらの中で最も高くなる様に変更するようにしたことを特徴とする請求項３に記載のデジタル放送受信装置。
【手続補正書】
【提出日】平成22年2月16日(2010.2.16)
【手続補正１】
【補正対象書類名】特許請求の範囲
【補正対象項目名】請求項１０
【補正方法】変更
【補正の内容】
【請求項１０】
上記特徴パラメータは、情報エントロピーを表すデータであることを特徴とする請求項７に記載の画像データ圧縮装置。
【手続補正２】
【補正対象書類名】図面
【補正対象項目名】図４
【補正方法】変更
【補正の内容】
【図４】
2008288761.tif 000001
【手続補正３】
【補正対象書類名】図面
【補正対象項目名】図５
【補正方法】変更
【補正の内容】
【図５】
2008288761.tif 000002
【手続補正４】
【補正対象書類名】図面
【補正対象項目名】図６
【補正方法】変更
【補正の内容】
【図６】
2008288761.tif 000003
【手続補正５】
【補正対象書類名】図面
【補正対象項目名】図７
【補正方法】変更
【補正の内容】
【図７】
2008288761.tif 000004
【手続補正６】
【補正対象書類名】図面
【補正対象項目名】図８
【補正方法】変更
【補正の内容】
【図８】
2008288761.tif 000005
【手続補正書】
【提出日】平成22年3月18日(2010.3.18)
【手続補正１】
【補正対象書類名】明細書
【補正対象項目名】０１０７
【補正方法】変更
【補正の内容】
【０１０７】
画像処理部１２１は、補間処理部７２と表示処理部７３により構成される。補間処理部７２は、MPU１１１のバスI/F１４２からバス３７を介して供給される、補間停止指令およびOSD情報、または補間再開指令に応じて、デコード処理部１１２のOSD重畳部１３１から供給される入力画像信号に対して補間を行う。補間処理部７２は、補間後の画像信号を表示処理部７３に供給する。表示処理部７３は、図２の場合と同様に、補間処理部７２から供給される補間後の画像信号に基づいて、表示部３５に画像を表示させる。
【手続補正２】
【補正対象書類名】明細書
【補正対象項目名】０１４４
【補正方法】変更
【補正の内容】
【０１４４】
ステップＳ２１８において、MPU２１１は、OSD表示指令の通信の完了の通知を制御部２３６に送信し、ステップＳ２０４において、制御部２３６は、その通知を受信する。ステップＳ２０５において、制御部２３６は、OSD重畳部２３４に、重畳開始指令と、入力部２３５から取得した全てのOSD情報を送信する。ステップＳ２５１において、OSD重畳部２３４は、制御部２３６から送信されてくる重畳開始指令とOSD情報を受信し、その重畳開始指令に応じて、デコード部２３３から供給される入力画像信号のOSD情報に基づく位置に対する、OSD画像信号の重畳を開始する。その結果、表示部３５には、OSD画像が表示される。